(57)【特許請求の範囲】
【請求項１】
少なくとも半導体素子および実装時の高さが異なる二以上の異型部品を配置する基板と、前記基板を収容するとともに冷却を行うための冷却部を備えるケースと、を有する電源装置において、
前記基板には、前記半導体素子と、実装時に所定の高さ以上の高さとなる異型部品または二種以上の異型部品と、を同一の実装面に配置し、
前記冷却部は、冷媒を通すための冷媒通路を内部に有し、前記実装面と対向する前記ケースの対向面の一部が前記半導体素子に向かうとともに、前記実装面と前記対向面との間の空間に面するように突出して形成され、
前記対向面は、前記基板に配置される前記二以上の異型部品と対向し、
前記二以上の異型部品には、前記実装面と前記冷却部との間の高さよりも実装高が高く、かつ、前記冷却部を回避する位置に実装される少なくとも一つの異型部品を含み、
前記半導体素子は、前記実装面と前記冷却部との間であって、前記冷却部と直接的にまたは間接的に接触して配置されることを特徴とする電源装置。
【請求項２】
前記対向面には、前記異型部品に向かって突起させた一以上の突起部を有することを特徴とする請求項１に記載の電源装置。
【請求項３】
少なくとも半導体素子および実装時の高さが異なる二以上の異型部品を配置する基板と、前記基板を収容するとともに冷却を行うための冷却部を備えるケースと、を有する電源装置において、
前記基板には、前記半導体素子と、実装時に所定の高さ以上の高さとなる異型部品または二種以上の異型部品と、を同一の実装面に配置し、
前記冷却部は、冷媒を通すための冷媒通路を内部に有し、前記実装面と対向する前記ケースの対向面の一部が前記半導体素子に向かうとともに、前記実装面と前記対向面との間の空間に面するように突出して形成され、
前記対向面は、前記基板に配置される前記二以上の異型部品と対向し、
前記対向面には、前記異型部品に向かって接触または近接させるように突出させ、前記冷却部から冷たさが伝達される一以上の突起部を有することを特徴とする電源装置。
【請求項４】
前記二以上の異型部品のうちで所定の温度以上になる異型部品は、前記冷却部に直接的または間接的に接触して配置されるか、または、前記冷却部の近傍に配置されることを特徴とする請求項１から３のいずれか一項に記載の電源装置。
【請求項５】
前記実装面と前記対向面との間に全体の一部または全部が挿入して配置され、回路用部品の相互間を電気的に接続するためのインサートバスバーを有することを特徴とする請求項１から４のいずれか一項に記載の電源装置。
【請求項６】
前記ケース内には、前記実装面と前記対向面との間に形成される空間以外の空間に配置される回路素子を有し、
前記インサートバスバーは、前記回路素子との接続を行うための端子部を有することを特徴とする請求項５に記載の電源装置。
【請求項７】
前記冷却部として前記ケースの内側に向かって突出して形成される前記対向面の一部は、前記ケースの隅部であることを特徴とする請求項１から６のいずれか一項に記載の電源装置。
【発明の詳細な説明】
【技術分野】
【０００１】
本発明は、冷却部を備えたケース内に基板を有する電源装置に関する。
【背景技術】
【０００２】
従来では、部品の実装密度を上げることができ、小型化が容易であり、端子接続部での抵抗損失も少なく、電源効率の良いスイッチング電源装置に関する技術の一例が開示されている（例えば特許文献１を参照）。このスイッチング電源装置は、トランス、引き出し部、電極部材などが所定の基板の同一面に固定される。引き出し部は、金属板状の巻き線から延長されたものであり、その端部が電極部材に接続されている。
【０００３】
また、小型化が図られた水冷方式のスイッチング電源に関する技術の一例が開示されている（例えば特許文献２を参照）。このスイッチング電源は、スイッチング回路、メイントランス、整流回路、平滑回路をベースプレート上に有する。ベースプレート上に形成される台座部の内部には、電子部品を冷却するための冷媒流路が形成されている。スイッチング回路の制御を行う制御基板は、ベースプレートの上方に配置されている（特許文献２の図６を参照）。特許文献２の図６では図示が省略されているが、スイッチング回路の制御を行うための回路素子は、制御基板の上面に実装せざるを得ない。ベースプレートの上面（すなわち制御基板の下方）には、上記スイッチング回路やメイントランス等が実装されるため、制御基板用の回路素子を実装するスペースを確保し難いからである。仮に実装するとしても、実装時の高さが低い回路素子に制限される。
【先行技術文献】
【特許文献】
【０００４】
【特許文献１】特開２００２−３４５２４５号公報
【特許文献２】特開２００４−２９７８８７号公報
【発明の概要】
【発明が解決しようとする課題】
【０００５】
上述した特許文献１の技術と特許文献２の技術とを組み合わせると、次のような技術になる。特許文献１の技術ではトランス、引き出し部、電極部材などの素子や部品を基板の同一面上に配置する。一方、特許文献２の技術ではベースプレート上に形成される台座部でスイッチング素子を冷却する必要があるため、必然的に上記基板の反対面（素子や部品を基板に配置する同一面とは反対の面）に配置せざるを得ない。このような配置を行うと、例えば図８のようになる。
【０００６】
図８に示すように、基板（ＢＰ）に対して、回路素子や部品等の異型部品（Ｐａ，Ｐｂ，Ｐｃ，Ｐｄ，Ｐｅ，…）などを実装すると、当該基板の実装面を基準とする高さ方向の寸法（以下では「実装高」と呼ぶ。）は「Ｈｂ」になる。これらを全てケース内に収容しようとすると、高さＨａ（Ｈａ＞Ｈｂ）よりも大きな空間（高さ）を確保しなければならず、大型化する。一方、基板とベースプレートとの隙間の高さ「Ｈｃ」には、回路素子や部品等を配置することも可能である。ところが、ケースを小型化しようとする場合には、実装高の低い回路素子や部品等に制限されるという問題がある。逆に、実装高が大きな回路素子や部品等を上記隙間に配置する場合には、回路素子や部品等が全て同じ実装高ではないので、デッドスペースが生じ易いという問題がある。
【０００７】
本発明はこのような点に鑑みてなしたものであり、ケースを小型化するとともに、デッドスペースを従来よりも縮小できる電源装置を提供することを目的とする。
【課題を解決するための手段】
【０００８】
上記課題を解決するためになされた請求項１に記載の発明は、少なくとも半導体素子および実装時の高さが異なる二以上の異型部品を配置する基板と、前記基板を収容するとともに冷却を行うための冷却部を備えるケースと、を有する電源装置において、前記基板には、前記半導体素子と、実装時に所定の高さ以上の高さとなる異型部品または二種以上の異型部品と、を同一の実装面に配置し、前記冷却部は、冷媒を通すための冷媒通路を内部に有し、前記実装面と対向する前記ケースの対向面の一部が前記半導体素子に向かうとともに、前記実装面と前記対向面との間の空間に面するように突出して形成され、前記対向面は、前記基板に配置される前記二以上の異型部品と対向し、前記二以上の異型部品には、前記実装面と前記冷却部との間の高さよりも実装高が高く、かつ、前記冷却部を回避する位置に実装される少なくとも一つの異型部品を含み、前記半導体素子は、前記実装面と前記冷却部との間であって、前記冷却部と直接的にまたは間接的に接触して配置されることを特徴とする。
【０００９】
この構成によれば、基板における同一の実装面には半導体素子や異型部品などが配置され、異型部品は当該実装面に実装されるとともにケースの対向面との間（第１空間）に配置される。このように、所定の高さ以上の高さとなる異型部品を同一の実装面に配置した基板をケースに収容する場合や、二種以上の異型部品を同一の実装面に配置した基板をケースに収容する場合は、異型部品が実装面と対向面との間（第１空間、特に高さ）に配置される。よって、同一の実装面とは反対側の面に背の高い素子や部品を配置せず、かつ、実装面と冷却部との間の高さよりも実装高が高い少なくとも一つの異型部品は冷却部を回避する位置に実装されるので、ケースを小型化するとともに、デッドスペースを従来よりも縮小することができる。また、ケースの対向面の一部に形成される冷却部は、ケースを小型化しても、少なくとも半導体素子を直接的または間接的に冷却することができる。特に半導体素子は実装面と冷却部との間であって冷却部と直接的にまたは間接的に接触して配置されるので、確実に冷却される。
なお「半導体素子」は、半導体による電子部品または電子部品の根幹である機能中心部の素子であれば任意である。例えば、スイッチング素子（ＦＥＴ，ＩＧＢＴ，ＧＴＯ，パワートランジスタ等を含む）、整流素子（整流回路や整流器等を含む）、ＩＣ（ＬＳＩ，ＶＬＳＩ，ＡＳＩＣ等を含む）などが該当する。「同一の実装面」は、素子や部品などの実装品が配置される基板の一面を意味し、以下では簡単のために「実装表面」と呼ぶことにする。この称呼に伴って、同基板における実装表面とは反対側の面を「実装裏面」と呼ぶことにする。当該実装裏面に実装品を配置するか否かを問わない。「実装品」は、素子（例えば半導体素子や回路素子等を含む）や部品（例えば接続線，台座，端子台等を含む）などのように基板に実装可能なものが該当し、表面実装品であるか否かを問わない。「所定の高さ」は任意に設定可能であり、例えば３[mm]や１０[mm]などが該当する。ただし実装裏面にも実装品を配置する場合には、当該実装裏面への実装時に最も高い実装品の高さ以上の高さ（例えば５[mm]や８[mm]など）を設定する。「異型部品」は、実装品のうちで形状（特に高さ）が異なる部品を意味する。「基板」は、少なくとも半導体素子および異型部品を実装可能な板状部材であれば任意であり、層数（単層や多層等）を問わない。「冷却部」には、実装品を冷却可能であれば任意の装置や部品等を適用できる。例えば、冷媒（空気，水，油などの流体）が流れる通路を有する部位・部品・装置等、冷却用フィン（放熱フィン）、ヒートポンプなどのうちで一以上が該当する。「ケース」は基板や冷却部など収容可能であれば任意である。例えば、単体のケースでもよく、仕切部（例えば仕切壁や仕切面など）によって複数の空間が形成されるブロック体にかかる一の空間からなるケースでもよい。
【００１０】
請求項２に記載の発明は、前記対向面には、前記異型部品に向かって突起させた一以上の突起部を有することを特徴とする。この構成によれば、冷却部からケース（対向面を有する部位）を通じて冷たさが突起部に伝達され、当該突起部に接触または非接触（近接）する異型部品を冷却することができる。「突起部」の形状は任意であり、例えば台座状や異型部品の一部または全部を囲むような筒状などが該当する。
【００１１】
請求項３に記載の発明は、少なくとも半導体素子および実装時の高さが異なる二以上の異型部品を配置する基板と、前記基板を収容するとともに冷却を行うための冷却部を備えるケースと、を有する電源装置において、前記基板には、前記半導体素子と、実装時に所定の高さ以上の高さとなる異型部品または二種以上の異型部品と、を同一の実装面に配置し、前記冷却部は、冷媒を通すための冷媒通路を内部に有し、前記実装面と対向する前記ケースの対向面の一部が前記半導体素子に向かうとともに、前記実装面と前記対向面との間の空間に面するように突出して形成され、前記対向面は、前記基板に配置される前記二以上の異型部品と対向し、前記対向面には、前記異型部品に向かって接触または近接させるように突出させ、前記冷却部から冷たさが伝達される一以上の突起部を有することを特徴とする。この構成によれば、冷却部は実装面と前記対向面との間の空間に面するので、当該空間を冷却することができる。また、冷却部からケース（対向面を有する部位）を通じて冷たさが突起部に伝達され、当該突起部に接触または非接触（近接）する異型部品を冷却することができる。
【００１２】
請求項４に記載の発明は、前記二以上の異型部品のうちで所定の温度以上になり得る異型部品は、前記冷却部に直接的または間接的に接触して配置されるか、または、前記冷却部の近傍に配置されることを特徴とする。この構成によれば、冷却部は半導体素子のみならず、所定の温度以上になり得る異型部品を直接的または間接的に冷却することができる。所定の温度は任意に設定可能であるが、異型部品の耐熱温度（例えば８５[℃]や１０５[℃]など）を設定するのが望ましい。また、冷却部の近傍に配置される異型部品を冷気で冷やすことができる。「所定の温度以上になり得る」形態には、例えば電流が流れるに伴って生じる発熱に伴って温度上昇する形態や、周囲の環境や発熱する周囲部品等による影響を受けて温度上昇する形態などが該当する。「間接的に接触」とは、冷却部と異型部品との間に他の部材（例えば絶縁シート等）を介在させる状態を意味する。
【００１３】
請求項５に記載の発明は、前記実装面と前記対向面との間に全体の一部または全部が挿入して配置され、回路用部品の相互間を電気的に接続するためのインサートバスバーを有することを特徴とする。この構成によれば、インサートバスバーは電気的な接続機能を担うとともに、実装面と対向面との間（特にデッドスペース）に全体の一部または全部が挿入して配置されるのでケースの高さに影響しない。したがって、ケースを小型化するとともに、デッドスペースを従来よりも縮小することができる。
【００１４】
請求項６に記載の発明は、前記ケース内には、前記実装面と前記対向面との間に形成される空間（第１空間）以外の空間（第２空間）に配置される回路素子を有し、前記インサートバスバーは、前記回路素子との接続を行うための端子部を有することを特徴とする。この構成によれば、インサートバスバーの端子部と回路素子との間における接続距離を短くすることができる。そのため、ケースを小型化するだけでなく、接続線による影響（例えば電気抵抗や電場発生によるノイズ等）を最小限に抑えることができる。
【００１５】
なお、請求項５にいう「回路用部品」と請求項６にいう「回路素子」とは、電気回路に用いる部品や素子という意味で同義であるが、インサートバスバーの電気的な接続を行う対象物と第２空間に配置する対象物とを区別するために用いる。回路用部品に含まれる回路素子があったり、回路素子に含まれる回路用部品があったりする。
【００１６】
請求項７に記載の発明は、前記冷却部として前記ケースの内側に向かって突出して形成される前記対向面の一部は、前記ケースの隅部（角部）であることを特徴とする。この構成によれば、冷却部をケースの隅部に形成すると、当該隅部以外の部位（例えばケースの中央部等）に形成するよりも基板の実装表面に配置する実装品の自由度が高まる。
【図面の簡単な説明】
【００１７】
【図１】電源装置の構成例を模式的に示す分解斜視図である。
【図２】電源装置の構成例を模式的に示す平面図である。
【図３】図２の矢印Ｄａ方向から見た電源装置の構成例を示す側面図である。
【図４】図２に示すIV−IV線矢視の第１構成例を示す断面図である。
【図５】図２に示すＶ−Ｖ線矢視の第２構成例を示す断面図である。
【図６】図２に示すＶ−Ｖ線矢視の第３構成例を示す断面図である。
【図７】インサートバスバーの構成例を示す三面図である。
【図８】従来技術を説明する断面図である。
【発明を実施するための形態】
【００１８】
以下、本発明を実施するための形態について、図面に基づいて説明する。なお、特に明示しない限り、「接続する」という場合には電気的な接続を意味する。各図は、本発明を説明するために必要な要素を図示し、実際の全要素を図示してはいない。上下左右等の方向を言う場合には、図面の記載を基準とする。連続符号は記号「〜」を用いて表記する。例えば「接続端子Ｔ１〜Ｔ６」は、「接続端子Ｔ１，Ｔ２，Ｔ３，Ｔ４，Ｔ５，Ｔ６」を意味する。
【００１９】
〔実施の形態１〕
まず、実施の形態１は図１〜図４を参照しながら説明する。図１には電源装置の構成例を模式的に分解斜視図で示す。図２には電源装置の構成例を平面図で示す。図３には図２の矢印Ｄａ方向から見た電源装置の構成例を側面図で示す。図４には図２に示すIV−IV線矢視の第１構成例を断面図で示す。
【００２０】
図１に示す電源装置１０は、いわゆる「ＤＣ−ＤＣコンバータ」であって、電力源（例えばバッテリや燃料電池等）から供給される直流電圧を目的の電圧に変換して出力する機能を担う。この電源装置１０は、大別してケース１１、プリント基板１２、図示しない収容部品などを有する。「収容部品」は、ケース１１内に収容される部品等であって、プリント基板１２上には配置されない部品等を意味する。例えば、回路素子（具体的には整流素子，トランス，フィルタ回路等）や、後述するインサートバスバー（図６，図７を参照）などが該当する。
【００２１】
ケース１１は、ケース蓋１１ａとケース本体１１ｂとで構成される。ケース本体１１ｂは、一面を開口させた箱状筐体である。図１の例では簡単のために直方体状の形成例を示すが、プリント基板１２や収容部品などを収容可能であれば、形成する形状は任意である。ケース蓋１１ａは、ケース本体１１ｂの開口部を覆う蓋である。本形態のケース１１は金属で形成するが、一部または全部について使用環境条件（例えば温度，磁気遮蔽，剛性等）を満たす他の材料（例えば樹脂等）で形成してもよい。
【００２２】
プリント基板１２は、実装表面１２ａおよび実装裏面１２ｂの両面でプリント配線がなされ、実装品を配置して実装する基板である。実装品は、素子（半導体素子や回路素子を含む）や部品（接続線，台座，端子台などを含む）などのように基板に実装可能なものが該当し、表面実装品であるか否かを問わない。このように実装品は様々の種類や形状等があるので、実装表面１２ａを基準として高さ（実装高）が異なる実装品を以下では「異型部品」と呼ぶ。同一の実装表面１２ａには、実装時に所定の高さ以上の高さとなる異型部品を実装したり、素子や部品等の種類が二種以上の異型部品を実装したりする。一方、実装裏面１２ｂはプリント配線のみとするか、実装高が低い表面実装品のみを配置する。「所定の高さ」は任意に設定可能であり、例えば実装裏面１２ｂへの実装時に最も高い実装品の高さ以上の高さ（例えば５[mm]や８[mm]など）が該当する。図１には、実装表面１２ａに実装した半導体素子群Ｑｇや異型部品Ｐ１〜Ｐ６を示す。半導体素子群Ｑｇも異型部品の一つであり、図１では１つの半導体素子Ｑ１と２つの半導体素子Ｑ２（以下では単に「半導体素子Ｑ１，Ｑ２」と呼ぶ。）が該当する。半導体素子Ｑ１，Ｑ２には、例えばＦＥＴ（具体的にはＭＯＳＦＥＴ，ＪＦＥＴ，ＭＥＳＦＥＴ等）、ＩＧＢＴ、ＧＴＯ、パワートランジスタなどのスイッチング素子を適用できる。図示しないが、半導体素子Ｑ１と半導体素子Ｑ２とは直列接続され、２つの半導体素子Ｑ２は並列接続される。
【００２３】
図１に示す台座１３や冷却部１４は、ケース１１の内部（特にケース本体１１ｂ）に備えられる。複数の台座１３および冷却部１４のうちで一方または双方は、ケース本体１１ｂと一体形成してもよく、別体形成した上で固定手段（例えばネジ止めや接着剤等による接着など）によって固定してもよい。複数の台座１３は、プリント基板１２をケース１１内に収容するにあたって、ケース本体１１ｂに固定するために用いる。
【００２４】
冷却部１４は、半導体素子群Ｑｇ、異型部品、収容部品等を冷却する機能を担う。本形態の冷却部１４は、冷媒（例えば水，空気，油等）を通すための冷媒通路１４ｃを内部に有する（図４を参照）。冷却部１４には、冷媒を流すための入出口となる配管結合部１４ａ，１４ｂを有する。配管結合部１４ａ，１４ｂには配管（例えばパイプ，チューブ，ホースなど）を結合し、冷却部１４と図示しない冷却装置（例えばラジエータ等）との間で冷媒が流れるように構成される。このように冷媒を介して冷却を確実に行うため、冷却部１４は熱伝導率が高い材料（例えばアルミニウムや銅等の金属やカーボンナノチューブ）で形成するのが望ましい。
【００２５】
プリント基板１２などを収容した後の電源装置１０を図２と図３に示す。具体的には、図２はケース蓋１１ａで覆わない状態を示し、図３はケース蓋１１ａを覆った状態を示す。図２に示すIV−IV線矢視の断面を図４に示す。図２に示すように、ケース１１内にはプリント基板１２のほかに、整流素子１５，トランス１６，フィルタ部１７等のような回路素子が配置される。整流素子１５は、例えば整流回路や整流器などが該当する。フィルタ部１７は、出力電力の交流成分を低減したり除去したりする機能を有すれば任意であり、パッシブフィルタ（ＬＣ回路，ＲＬＣ回路，ＲＣ回路等）やアクティブフィルタ等の種類を問わない。これらの回路素子は、実装表面１２ａと対向面１１ｆとの間に形成される空間（「第１空間」に相当する；図４を参照）以外の空間（「第２空間」に相当する；図２を参照）に配置される。
【００２６】
図３に示すように、電源装置１０のケース１１と電力変換装置２０のケース２１とは一体形成されている。電力変換装置２０は、いわゆる「インバータ」であるが、構成や機能作用等の詳細については周知であるので図示および説明を省略する。
【００２７】
図４において、プリント基板１２は、ケース１１内に収容されて固定されている。このプリント基板１２の実装表面１２ａは、ケース１１の対向面１１ｆと対向する。よって、プリント基板１２に配置される異型部品群Ｐｇ（異型部品Ｐ１〜Ｐ６）もまた対向面１１ｆと対向する。この対向面１１ｆを含む部位（仕切壁や仕切面など）は「仕切部」に相当する。なお、図４では簡単のために異型部品Ｐ１〜Ｐ６を示すが、実際のプリント基板１２には多数の異型部品が配置される。また、図４では見易くするためにハッチの図示を省略している（後述する図５と図６でも同様である）。
【００２８】
冷却部１４は、少なくとも半導体素子群Ｑｇ（半導体素子Ｑ１，Ｑ２）に向かって、対向面１１ｆの一部が突出して形成されている。図１の例では、ケース１１の隅部（図面左側の隅部）を上方に向けて突出させている。冷却部１４の上面には半導体素子群Ｑｇ（図４では半導体素子Ｑ２）が直接的にまたは間接的に接触して配置（固定）されている。間接的に接触する形態としては、例えば冷却部１４と半導体素子群Ｑｇとの間に絶縁シート等の部材を介在させる形態などが該当する。形成される冷却部１４は、図４に示すように、実装表面１２ａと対向面１１ｆとの間の空間（第１空間）にも面する（後述する図５，図６でも同様である）。
【００２９】
異型部品群Ｐｇのうちで異型部品Ｐ１，Ｐ２などは、所定の温度（例えば８５[℃]や１０５[℃]など）以上になり得るため、冷却部１４の近傍に配置する。この配置によって、異型部品Ｐ１，Ｐ２などは冷却部１４の冷気によって冷やされるので、該当する異型部品の耐熱温度以下に抑えることができる。なお、異型部品Ｐ１，Ｐ２には、例えばコンデンサやコモンモードコイルなどが該当する。異型部品Ｐ３〜Ｐ６には、例えばトランスやコンデンサなどが該当する。
【００３０】
図４の構成例によれば、互いに対向する実装表面１２ａと対向面１１ｆとの間の長さ（高さ）は、高さＨ１である。実装裏面１２ｂには実装する場合でも実装高の低い素子や部品しか実装しないので、ケース１１への収容には高さＨ２があればよい。仮に、高さＨ１と図８に示す高さＨｃとがほぼ等しい場合にはＨ２＜Ｈａ（図８を参照）となり、従来よりもケース１１を小型化することができる。
【００３１】
なお図４の構成例では、実装表面１２ａに実装される異型部品のうち異型部品Ｐ２の実装高が最も高い。ケース１１の高さを抑制するには、異型部品Ｐ２が対向面１１ｆに最近接する位置までプリント基板１２の位置を下げるか、あるいは対向面１１ｆを二点鎖線で示す位置まで（すなわち高さＨ３だけ）嵩上げしてもよい。こうすれば高さＨ２が低くなって、ケース１１をさらに小型化でき、デッドスペースをより縮小できる。
【００３２】
上述した実施の形態１によれば、以下に示す各効果を得ることができる。まず請求項１に対応し、電源装置１０において、プリント基板１２には半導体素子Ｑ１，Ｑ２と実装時に所定の高さ以上の高さとなる異型部品Ｐ１〜Ｐ６または二種以上の異型部品Ｐ１〜Ｐ６とを同一の実装表面１２ａに配置し、冷却部１４は冷媒を通すための冷媒通路１４ｃを内部に有し、実装表面１２ａと対向するケース１１の対向面１１ｆの一部が半導体素子Ｑ１，Ｑ２に向かうとともに、実装表面１２ａと対向面１１ｆとの間の空間（第１空間）に面するように突出して形成され、対向面１１ｆはプリント基板１２に配置される二以上の異型部品Ｐ１〜Ｐ６と対向し、二以上の異型部品Ｐ１〜Ｐ６には、実装表面１２ａ（実装面）と冷却部１４との間の高さよりも実装高が高く、かつ、冷却部１４を回避する位置に実装される少なくとも一つの異型部品Ｐ１〜Ｐ６を含み、半導体素子Ｑ１，Ｑ２は実装表面１２ａと冷却部１４との間であって、冷却部１４と直接的にまたは間接的に接触して配置される構成とした（図４を参照）。この構成によれば、異型部品Ｐ１〜Ｐ６が実装表面１２ａと対向面１１ｆとの間（第１空間）に配置される。よって、同一の実装表面１２ａとは反対側の面に背の高い素子や部品を配置せず、かつ、実装高が高い少なくとも一つの異型部品Ｐ１〜Ｐ６は冷却部１４を回避する位置に実装されるので、ケース１１を小型化するとともに、デッドスペースを従来よりも縮小することができる。冷却部１４は、ケース１１を小型化しても、少なくとも半導体素子Ｑ１，Ｑ２を直接的または間接的に冷却することができる。特に半導体素子Ｑ１，Ｑ２は実装表面１２ａと冷却部１４との間であって冷却部１４と直接的にまたは間接的に接触して配置されるので、確実に冷却される。
【００３３】
請求項４に対応し、二以上の異型部品Ｐ１〜Ｐ６のうちで所定の温度以上になり得る異型部品Ｐ１，Ｐ２などは、冷却部１４の近傍に配置される構成とした（図４を参照）。この構成によれば、冷却部１４は半導体素子Ｑ１，Ｑ２を直接的または間接的に冷却するだけでなく、冷却部１４から流出する冷気によって異型部品Ｐ１，Ｐ２などを冷やすことができる。なお図示しないが、異型部品Ｐ１，Ｐ２などを冷却部１４に直接的または間接的に接触して配置してもよい。この場合には、半導体素子Ｑ１，Ｑ２と同様に、異型部品Ｐ１，Ｐ２などの冷却を強力に行うことができる。
【００３４】
請求項７に対応し、冷却部１４は、ケース１１（具体的にはケース本体１１ｂ）の隅部にかかる対向面１１ｆを、ケース１１の内側に向かって突出して形成する構成とした（図４を参照）。この構成によれば、隅部以外の部位（例えばケース１１の中央部等）に形成するよりもプリント基板１２の実装表面１２ａに配置する実装品の自由度が高まる。
【００３５】
〔実施の形態２〕
実施の形態２は、上述した実施の形態１の変形例であって、図５を参照しながら説明する。図５には図２に示すＶ−Ｖ線矢視の第２構成例を断面図で示す。なお、電源装置１０の構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００３６】
図５に示す第２構成が図４に示す第１構成と相違するのは、対向面１１ｆから実装表面１２ａに向かって突起させた突起部１８をケース本体１１ｂに備える点である。台座状に形成された突起部１８は、その先端面が異型部品Ｐ８に接触または近接する高さを有する。冷却部１４（具体的には冷媒通路１４ｃを通る冷媒）から、当該冷却部１４を形成する対向面１１ｆを経て、冷たさが突起部１８に伝導する。突起部１８にもある程度の冷却機能が生じるので、異型部品Ｐ８を冷却することができる。
【００３７】
なお図５の構成例では、実装表面１２ａの実装部のうちで実装高が最も高い異型部品Ｐ８に向けて突起部１８を形成したが、他の異型部品に向けて突起部１８を形成してもよい。例えば、突起部１８を二点鎖線で示すように冷却部１４まで拡張する。こうすれば異型部品Ｐ７や他の異型部品も、異型部品Ｐ８と同様に冷却することができる。
【００３８】
上述した実施の形態２によれば、請求項３に対応し、対向面１１ｆには、異型部品Ｐ８に向かって接触または近接させるように突出させ、冷却部１４から冷たさが伝達される一以上の突起部１８を有する構成とした（図５を参照）。この構成によれば、冷却部１４は実装表面１２ａと対向面１１ｆとの間の空間（第１空間）に面するので、当該空間を冷却することができる（図５を参照）。また、冷却部１４からケース１１（対向面１１ｆを有する部位）を通じて冷たさが突起部１８に伝達され、当該突起部１８に接触または非接触（近接）する異型部品Ｐ８などを冷却することができる。なお、請求項１，４，７については、実施の形態１と同様の作用効果を得ることができる。また、図５では突起部１８によって冷却できるのは異型部品Ｐ８のみであるが、二以上の異型部品を冷却可能に一以上の突起部１８を構成できることは言うまでもない。
【００３９】
〔実施の形態３〕
実施の形態３は、上述した実施の形態１，２の変形例であって、図６と図７を参照しながら説明する。図６には図２に示すＶ−Ｖ線矢視の第３構成例を断面図で示す。図７には、インサートバスバーの構成例を三面図で示す。なお、電源装置１０の構成等は実施の形態１，２と同様であり、図示および説明を簡単にするために実施の形態３では実施の形態１，２と異なる点について説明する。よって実施の形態１，２で用いた要素と同一の要素には同一の符号を付して説明を省略する。
【００４０】
図６に示す第３構成が図５に示す第２構成と相違するのは、実装表面１２ａに配置した異型部品群Ｐｇと対向面１１ｆとの隙間に、インサートバスバー１９全体の一部または全部を挿入して配置した点である。インサートバスバー１９は端子，端子台，配線などを有し、回路用部品の相互間を電気的に接続する機能を担う。配線の一部または全部は、大電流（例えば１０[Ａ]や２０[Ａ]等）にも耐え得る線材を用いるのが望ましい。
【００４１】
インサートバスバー１９の構成例を図７に三面図で示す。図７（Ａ）には平面図を示し、図７（Ｂ）には図７（Ａ）の右側から見た側面図を示し、図７（Ｃ）には図７（Ａ）の下側から見た側面図を示す。図７に示すインサートバスバー１９は、固定部１９ａ，１９ｄ，１９ｆ、バスバー本体１９ｂ、接続端子台１９ｃ、入力部１９ｅ、接続端子Ｔ１〜Ｔ６などを有する。固定部１９ａ，１９ｄ，１９ｆは、インサートバスバー１９をプリント基板１２やケース本体１１ｂに固定するための部位である。バスバー本体１９ｂは絶縁性材料（例えば樹脂等）で所定形状に形成される。具体的には、射出成形等によるモールディングで形成される。接続端子台１９ｃは、トランス１６の端子と対向する位置に備えられ、複数の端子を電気的に接続する機能を担う。接続端子Ｔ１〜Ｔ６は、プリント基板１２の所定位置に電気的に接続する機能を担う。
【００４２】
上述した実施の形態３によれば、以下に示す各効果を得ることができる。なお、請求項１，４，７については実施の形態１と同様の作用効果を得ることができ、請求項６については実施の形態２と同様の作用効果を得ることができる。
【００４３】
請求項５に対応し、実装表面１２ａと対向面１１ｆとの間に全体の一部または全部が挿入して配置され、回路素子の相互間を電気的に接続するためのインサートバスバー１９を有する構成とした（図６，図７を参照）。この構成によれば、インサートバスバー１９は電気的な接続機能を担うとともに、実装表面１２ａと対向面１１ｆとの間（特にデッドスペース）に全体の一部または全部が挿入して配置されるのでケース１１の高さに影響しない。したがって、ケース１１を小型化するとともに、デッドスペースを従来よりも縮小することができる。
【００４４】
請求項６に対応し、ケース１１内には、実装表面１２ａと対向面１１ｆとの間に形成される空間（第１空間）以外の空間（第２空間）に配置される回路素子（すなわち整流素子１５，トランス１６，フィルタ部１７である。図２を参照）を有し、インサートバスバー１９は回路素子との接続を行うための接続端子台１９ｃ（端子部）を有する構成とした（図２，図６，図７を参照）。この構成によれば、接続端子台１９ｃはトランス１６の端子と対向する位置に備えられているので、これらの接続距離を短くすることができる。そのため、ケース１１を小型化するだけでなく、接続線による影響（例えば電気抵抗や電場発生によるノイズ等）を最小限に抑えることができる。
【００４５】
〔他の実施の形態〕
以上では本発明を実施するための形態について実施の形態１〜３に従って説明したが、本発明は当該形態に何ら限定されるものではない。言い換えれば、本発明の要旨を逸脱しない範囲内において、種々なる形態で実施することもできる。例えば、次に示す各形態を実現してもよい。
【００４６】
上述した実施の形態１〜３では、ケース１１はケース２１と一体形成する構成とした（図３を参照）。この形態に代えて、単体のケース１１のみで構成してもよい。また、電力変換装置２０のケース２１に代えて、他の装置のケースと一体形成する構成としてもよい。他の装置は、例えばエンジンブロック、ＥＣＵ装置、車両ボディなどが該当する。仕切部（例えば仕切壁や仕切面など）によって内部に複数の空間が形成されるブロック体にかかる一の空間からなるケース１１でもよい。いずれの構成にせよ、ケース１１にはプリント基板１２や冷却部１４など収容することができるので、実施の形態１〜３と同様の作用効果を得ることができる。
【００４７】
上述した実施の形態１〜３では、プリント基板１２は、実装表面１２ａと実装裏面１２ｂとを有する基板を適用した（図１〜図７を参照）。この形態に代えて、一以上の中間層を含む多層基板を適用してもよく、ユニバーサル基板を適用してもよい。いずれの基板にせよ、半導体素子群Ｑｇや異型部品群Ｐｇなどを配置することができるので、実施の形態１〜３と同様の作用効果を得ることができる。
【００４８】
上述した実施の形態１〜３では、冷却部１４は、対向面１１ｆから実装表面１２ａに向けて突出させ、その突出部位に冷媒が流れる冷媒通路１４ｃを有する構成とした（図４〜図６を参照）。この形態に代えて（あるいは加えて）、他の冷却手段を構成してもよい。他の冷却手段は、例えば冷却用フィン（放熱フィン）、ヒートポンプなどのうちで一以上が該当する。他の冷却手段で構成した場合でも、半導体素子群Ｑｇや異型部品を冷却できるので、実施の形態１〜３と同様の作用効果を得ることができる。
【００４９】
上述した実施の形態１〜３では、冷却部１４は、ケース本体１１ｂ（ケース１１）の短辺部（直線や曲線を問わない）に沿う隅部に配置する構成とした（図１，図２，図４〜図６を参照）。この形態に代えて（あるいは加えて）、構造上や設計上などの制約によって、ケース本体１１ｂの長辺部（直線や曲線を問わない）に沿う隅部に配置する構成としてもよい。
【００５０】
上述した実施の形態３では、実装表面１２ａに配置した異型部品群Ｐｇと対向面１１ｆとの隙間にインサートバスバー１９を配置する構成とした（図６を参照）。この形態に代えて（あるいは加えて）、異型部品群Ｐｇと対向面１１ｆとの隙間に他の部品を配置してもよい。他の部品は、例えばバスバーやファンなどが該当する。隙間を利用して配置するので、デッドスペースをさらに縮小することができる。なお、ファン（扇風機）は冷却部１４の近傍に配置するのが望ましい。ケース１１内に封入された空気を循環または拡散させて、ケース１１内の全体を効率良く冷却することができる。
【符号の説明】
【００５１】
１０  電源装置
１１  ケース
１１ｆ  対向面
１２  プリント基板（基板）
１２ａ  実装表面（実装面）
１２ｂ  実装裏面
１４  冷却部
１５  整流素子（回路素子）
１６  トランス（回路素子）
１７  フィルタ部（回路素子）
１８  突起部
１９  インサートバスバー
Ｑｇ  半導体素子群
Ｑ１，Ｑ２，…  半導体素子
Ｐｇ  異型部品群
Ｐ１〜Ｐ８，…  異型部品（実装品）
Ｔ１〜Ｔ６，…  接続端子
【図１】
0005644712.tif 000002
【図２】
0005644712.tif 000003
【図３】
0005644712.tif 000004
【図４】
0005644712.tif 000005
【図５】
0005644712.tif 000006
【図６】
0005644712.tif 000007
【図７】
0005644712.tif 000008
【図８】
0005644712.tif 000009